(57)【要約】【課題】認証を行わないときには意匠性を高め、認証を行うときには入力を与えやすくした認証機能付き什器を提供する。【解決手段】認証機能付き什器１０１は、本体３と、本体に取付けられ、利用者が入力を与える入力部１１、１２と、入力に基づいて認証を行い、認証結果を出力する出力部と、入力部の表面３０ａに認証案内表示を表示する表示モードと、認証案内表示を表示しない非表示モードと、に制御モードを切替え可能なモード設定部と、を備え、入力部の表面と、入力部の表面に隣り合う本体の表面３ｄと、は同色又は近似色である。【選択図】図２
2018097202.tif 000002
【特許請求の範囲】
【請求項１】
本体と、
前記本体に取付けられ、利用者が入力を与える入力部と、
前記入力に基づいて認証を行い、認証結果を出力する出力部と、
前記入力部の表面に認証案内表示を表示する表示モードと、前記認証案内表示を表示しない非表示モードと、に制御モードを切替え可能なモード設定部と、
を備え、
前記入力部の表面と、前記入力部の表面に隣り合う前記本体の表面と、は同色又は近似色であることを特徴とする認証機能付き什器。
【請求項２】
前記認証案内表示に視覚記号が用いられていることを特徴とする請求項１に記載の認証機能付き什器。
【請求項３】
前記入力部として、第１入力部と、第２入力部と、を備え、
前記表示モードとして、
前記第１入力部に前記入力を与えられる第１位置に前記認証案内表示を表示する第１表示モードと、
前記第２入力部に前記入力を与えられ、前記第１位置とは異なる第２位置に前記認証案内表示を表示する第２表示モードと、
を有することを特徴とする請求項１又は２に記載の認証機能付き什器。
【請求項４】
前記出力部は、
前記制御モードが前記表示モードのときには前記入力の認証を行い、前記制御モードが前記非表示モードのときには前記入力の認証を行わないことを特徴とする請求項１から３のいずれか一項に記載の認証機能付き什器。
【請求項５】
前記入力部の表面と前記本体の表面とは面一であることを特徴とする請求項１から４のいずれか一項に記載の認証機能付き什器。
【請求項６】
前記モード設定部の前記制御モードを切替えるモード切替え部を備えることを特徴とする請求項１から５のいずれか一項に記載の認証機能付き什器。
【発明の詳細な説明】
【技術分野】
【０００１】
本発明は、認証機能付き什器に関する。
【背景技術】
【０００２】
従来、非接触式の認証カードをかざしたり暗証番号を入力したりして認証を行う認証機能が付いた認証機能付き什器が知られている（例えば、特許文献１参照）。
この種の認証機能付き什器では、利用者が入力を与える入力部は、フレーム（本体）等に取付けられている。入力部の表面は、利用者が入力を与える位置が分かりやすいように、フレームの表面とは異なる色をしている場合がある。あるいは、入力部において認証カードをかざす位置を明示するために、この位置に何らかの目印（認証案内表示）を示す場合がある。またあるいは、入力部において暗証番号を入力する位置を明示するために、この位置に「１」、「２」等の数字を示す場合がある。
【先行技術文献】
【特許文献】
【０００３】
【特許文献１】特開２００６−２０７２７４号公報
【発明の概要】
【発明が解決しようとする課題】
【０００４】
しかしながら、フレームとは異なる色をした入力部等は、認証を行わない通常の什器には無い。このため、認証機能付き什器の意匠性は通常の什器の意匠性に比べて低い。
一方で、入力部等をフレームと同色にすると、利用者が入力を与える位置が分かりにくくなり、認証機能付き什器の使い勝手が低下する。さらに、利用者が認証を行う予定が無いときに意図せずに入力を与え、その結果認証機能付き什器を無駄に動作させてしまう恐れがある。
【０００５】
本発明は、このような問題点に鑑みてなされたものであって、認証を行わないときには意匠性を高め、認証を行うときには入力を与えやすくした認証機能付き什器を提供することを目的とする。
【課題を解決するための手段】
【０００６】
上記課題を解決するために、この発明は以下の手段を提案している。
本発明の認証機能付き什器は、本体と、前記本体に取付けられ、利用者が入力を与える入力部と、前記入力に基づいて認証を行い、認証結果を出力する出力部と、前記入力部の表面に認証案内表示を表示する表示モードと、前記認証案内表示を表示しない非表示モードと、に制御モードを切替え可能なモード設定部と、を備え、前記入力部の表面と、前記入力部の表面に隣り合う前記本体の表面と、は同色又は近似色であることを特徴としている。
なお、ここで言う近似色とは、ＪＩＳ  Ｚ  ８７３０で規定される色差が１０以内の関係にあるものを意味することが好ましく、色差が６以内の関係にあるものを意味することがより好ましい。
【０００７】
この発明によれば、制御モードが非表示モードであると、モード設定部は入力部の表面に認証案内表示を表示しないため、入力部の表面と本体の表面とが互いに同色又は近似色であることで、認証機能付き什器の意匠性を高めることができる。一方で、制御モードが表示モードであると入力部の表面に認証案内表示を表示するため、利用者はこの認証案内表示の位置を目印にして、入力部に入力を容易に与えることができる。
【０００８】
また、上記の認証機能付き什器において、前記認証案内表示に視覚記号が用いられてもよい。
この発明によれば、認証案内表示と入力部の表面との色のコントラストを強くしなくても、認証案内表示が表す概念を利用者が容易に認識することできる。また、色のコントラストを強くしなくてよいため、制御モードが非表示モードであるときに、認証案内表示を確実に表示しないようにすることが容易にできる。
【０００９】
また、上記の認証機能付き什器において、前記入力部として、第１入力部と、第２入力部と、を備え、前記表示モードとして、前記第１入力部に前記入力を与えられる第１位置に前記認証案内表示を表示する第１表示モードと、前記第２入力部に前記入力を与えられ、前記第１位置とは異なる第２位置に前記認証案内表示を表示する第２表示モードと、を有してもよい。
この発明によれば、利用者は認証案内表示の表示位置を確認するだけで、第１入力部及び第２入力部のうちどちらから入力を与えればよいかを容易に判断することができる。
【００１０】
また、上記の認証機能付き什器において、前記出力部は、前記制御モードが前記表示モードのときには前記入力の認証を行い、前記制御モードが前記非表示モードのときには前記入力の認証を行わなくてもよい。
この発明によれば、利用者は認証案内表示が表示されているか否かで、現在の制御モードが表示モードか非表示モードかを容易に判断することができる。また、制御モードが非表示モードのときは認証に用いる制御回路等を休止することが可能となり、認証機能付き什器の平均消費電力を低く抑えることが可能となる。
【００１１】
また、上記の認証機能付き什器において、前記入力部の表面と前記本体の表面とは面一であってもよい。
この発明によれば、認証機能付き什器の意匠性をさらに高めることができる。
【００１２】
また、上記の認証機能付き什器において、前記モード設定部の前記制御モードを切替えるモード切替え部を備えてもよい。
この発明によれば、モード切替え部を動作させることで、制御モードを容易に切替えることができる。
【発明の効果】
【００１３】
本発明の認証機能付き什器によれば、認証を行わないときには意匠性を高め、認証を行うときには入力を与えやすくすることができる。
【図面の簡単な説明】
【００１４】
【図１】本発明の一実施形態の鍵付き什器の斜視図である。
【図２】図１中のＩＩ−ＩＩ線に相当する断面図である。
【図３】同鍵付き什器の認証装置の概略構成図である。
【図４】同鍵付き什器のタッチパネルにパスワード入力文字が表示された状態の正面図である。
【図５】同鍵付き什器のタッチパネルにカード読み取りマークが表示された状態の正面図である。
【図６】同鍵付き什器のタッチパネルにパスワード入力文字及びカード読み取りマークが表示されない状態での正面図である。
【図７】同鍵付き什器の動作を説明する正面図である。
【図８】同鍵付き什器の動作を示すフローチャートである。
【図９】本発明の一実施形態の変形例における鍵付き什器のタッチパネルにパスワード入力文字及びカード読み取りマークが表示された状態の正面図である。
【図１０】同鍵付き什器のタッチパネルにパスワード入力文字及びカード読み取りマークが表示されない状態での正面図である。
【図１１】同鍵付き什器のタッチパネルにパスワード入力文字が表示された状態の正面図である。
【図１２】同鍵付き什器のタッチパネルにカード読み取りマークが表示された状態の正面図である。
【発明を実施するための形態】
【００１５】
以下、本発明に係る認証機能付き什器の一実施形態を、認証機能付き什器が鍵付き什器である場合を例にとって、図１から図１２を参照しながら説明する。
図１に示すように、鍵付き什器１０１は、什器１と、什器１に取付けられた認証装置１０と、を備えている。
什器１は、執務室等で用いられるオフィス収納（キャビネット）である。什器１は、床上に載置される直方体形状の筐体２と、筐体２の前面開口を開閉する複数の開閉体３と、を備えている。各開閉体３は、什器１における垂直な前面に沿う板状をなしている。図１において、筐体２における図中左側Ｄ１の前面開口の開閉体（本体）３は、いわゆる観音開きの一対の開閉扉３ａ１とされ、筐体２の上下端に渡って設けられている。筐体２における図中左右中央の前面開口は、上下二段に区分されている。筐体２の左右中央において、上段の開閉体３及び下段の開閉体３は、それぞれ観音開きの一対の開閉扉３ａ２とされている。筐体２における図中右側Ｄ２の前面開口は、上下二段に区分されている。筐体２の右側Ｄ２において、上段の開閉体３は、観音開きの一対の開閉扉３ａ３とされ、下段の開閉体３は、上下三段の抽斗３ｃの前板３ｂとされている。
【００１６】
図１で左右一対をなす各開閉扉３ａ１〜３ａ３の一方（図中右側Ｄ２）には、その前面の上下中間部に把手４ａが設けられている。把手４ａは、該把手４ａが設けられた開閉扉３ａ１〜３ａ３のラッチ機構（不図示）を解除操作可能とする。把手４ａが設けられた開閉扉３ａ１〜３ａ３の前面には、例えば把手４ａの上方又は下方に離間して、認証装置１０が設けられている。認証装置１０は、該認証装置１０が取付けられた開閉扉３ａ１〜３ａ３を特定の利用者が開閉可能とするために、特定の利用者の認証を行う。認証装置１０は、特定の利用者を認証すると、該認証装置１０が設けられた開閉扉３ａ１〜３ａ３の電気式施解錠装置５に後述する認証結果を信号として出力する。電気式施解錠装置５は、認証結果に基づいて解錠したり施錠したままにしたりする。
開閉扉３ａ１〜３ａ３の前面で例えば把手４ａの下方には、電気式施解錠装置５を強制的に施解錠可能な機械式施解錠装置（キーシリンダ）６が設けられている。
【００１７】
電気式施解錠装置５は、什器１に搭載された一次電池もしくは二次電池（以下、バッテリ７という）に電気的に接続されている。バッテリ７は、例えば開閉体３の後面側に設けられたバッテリケース８内に保持されている。バッテリ７は、対応する開閉体３に設けられた認証装置１０にも電気的に接続されている。電気式施解錠装置５及び認証装置１０の電源としてバッテリ７を備えることで、ＡＣ１００Ｖ等の外部電源（商用電源）の接続を必要とせず、配線の簡略化及び什器レイアウトの容易化が図られる。
【００１８】
電気式施解錠装置５は、対応する開閉体３の認証装置１０で利用者の認証が取れると、認証装置１０からの認証結果の指令により開閉体３を解錠し、把手４ａの操作によって対応する開閉体３を開けることができるようになる。電気式施解錠装置５は、対応する開閉体３が閉められると、自動的に施錠状態に戻る。バッテリ７の蓄電残量が不足して電気式施解錠装置５を駆動できない場合には、機械式施解錠装置６によって手動で施解錠することが可能である。
【００１９】
図２及び図３に示すように、認証装置１０は、パスワード入力部（第１入力部、入力部）１１と、カード入力部（第２入力部、入力部）１２と、パスワード入力告知部１３と、カード読み取り告知部１４と、制御ユニット１５と、を備えている。
また、認証装置１０は、入力部１１、１２及び告知部１３、１４を有する単一のタッチパネル２０を備えている。タッチパネル２０は、各入力部１１、１２における認証用の入力を可能としている。タッチパネル２０は、入力部１１、１２に与える認証用の入力、及び告知部１３、１４による告知表示を可能にしている。
図２に示すように、タッチパネル２０は、平面視矩形状をなし、開閉体３の前面（表面）３ｄに形成された矩形状の開口３ｅに整合するように、かつ開閉体３の前面３ｄと平行となるように配置されている。認証装置１０におけるタッチパネル２０以外の部分は、対応する開閉体３の前面３ｄを形成する板金の後側に収まっている。
【００２０】
図３及び図４に示すように、タッチパネル２０のパスワード入力キー（スイッチ）２１の前側には、パスワード入力文字（認証案内表示）２２が設けられている。本実施形態では、パスワード入力文字２２の発光は、タッチパネル２０の後面側に配置されたＬＥＤ１３ｂにより行われる。なお、パスワード入力文字２２及びＬＥＤ１３ｂで、後述するパスワード出力部４２が入力の認証を行うことを、パスワード入力文字２２を発光させることで利用者に告知するパスワード入力告知部１３を構成する。
図３及び図５に示すように、タッチパネル２０の前側にはカード読み取りマーク（認証案内表示）２４が設けられている。本実施形態では、カード読み取りマーク２４の発光は、タッチパネル２０の後面側に配置されたＬＥＤ１４ｂにより行われる。なお、カード読み取りマーク２４及びＬＥＤ１４ｂで、後述するカード出力部４３が入力の認証を行うことを利用者に告知するカード読み取り告知部１４を構成する。
【００２１】
パスワード入力文字２２は、後述するパスワード出力部４２が入力の認証を行うとき、対応するＬＥＤ１３ｂの点灯により発光し、外部から視認可能となる（図４参照）。このとき、パスワード入力部１１の表面にパスワード入力文字２２を表示した状態になる。
パスワード入力文字２２は、パスワード出力部４２が入力の認証を行わないとき、対応するＬＥＤ１３ｂの消灯により発光を停止し、外部から視認不能（相対的に目立たなくなった状態を含む）となる（図５及び図６参照）。このとき、パスワード入力部１１の表面にパスワード入力文字２２を表示しない状態になる。
【００２２】
カード読み取りマーク２４は、後述するカード出力部４３が入力の認証を行うとき、対応するＬＥＤ１４ｂの点灯により発光し、外部から視認可能となる（図５参照）。このとき、カード入力部１２の表面にカード読み取りマーク２４を表示した状態になる。カード読み取りマーク２４は、カード出力部４３が入力の認証を行わないとき、対応するＬＥＤ１４ｂの消灯により発光を停止し、外部から視認不能（相対的に目立たなくなった状態を含む）となる（図４及び図６参照）。このとき、カード入力部１２の表面にカード読み取りマーク２４を表示しない状態になる。
【００２３】
図４に示すように、パスワード入力キー２１及びパスワード入力文字２２は、タッチパネル２０の平面視矩形状の内側に沿うように、縦横四つずつ並ぶ。パスワード入力キー２１は、テンキー２１ａと、クリアキー２１ｂと、エンターキー２１ｃと、で構成されている。
テンキー２１ａには、パスワード入力文字２２として「１」から「９」及び「０」の数字が設けられている。クリアキー２１ｂには、パスワード入力文字２２として「Ｃ」の文字が設けられている。エンターキー２１ｃには、パスワード入力文字２２として「＃」の文字が設けられている。
パスワード入力文字２２は、利用者がパスワード入力部１１に入力を与えられる第１位置Ｐ１に表示される。
【００２４】
図５に示すように、カード読み取りマーク２４として、認証カードの斜視図を模式的に示した視覚記号（絵文字、ピクトグラフ）が用いられている。カード読み取りマーク２４は、認証カードによる認証方法を絵文字として表現したものである。カード読み取りマーク２４は、タッチパネル２０の中央部（パスワード入力文字２２に囲まれた部位）に配置されている。
カード読み取りマーク２４は、利用者がカード入力部１２に入力を与えられる第２位置Ｐ２に表示される。第２位置Ｐ２は、第１位置Ｐ１とは異なる位置である。
【００２５】
図４に示すように、平面視矩形状に配列されたパスワード入力キー２１の例えば一角部（図では左上の角部）には、エンターキー２１ｃが配置されている。本実施形態では、エンターキー２１ｃが認証装置１０のモード切替えスイッチ（モード切替え部）２１ｃ１として用いられる。モード切替えスイッチ２１ｃ１を押すと、モード切替えスイッチ２１ｃ１から後述するモード設定部４１に信号が送られることで、モード設定部４１の制御モードが切替わる。
なお、パスワード入力キー２１の並びは図の並びに限らない。また、モード切替えスイッチ２１ｃ１として用いるエンターキー２１ｃの配置も、図と異なる角部であったり角部以外であってもよい。さらに、エンターキー２１ｃ以外のキーをモード切替えスイッチとして用いたり、専用のモード切替えスイッチを設けたりしてもよい。
【００２６】
タッチパネル２０には、モード切替えスイッチ２１ｃ１の位置に、例えば矩形状のマーク（指標）２５が印刷等により常時示されている。マーク２５は、モード切替えスイッチ２１ｃ１の位置を利用者に表す。マーク２５は、ＬＥＤ１３ｂ、１４ｂの発光の有無によらず外部から視認可能である。
【００２７】
次に、タッチパネル２０の構成の詳細について説明する。
図２に示すように、タッチパネル２０は、開閉体３の前方に露出する表面シート３０と、表面シート３０の後面側（什器１の内側）に重ねられた電極シート３１と、を備えている。
表面シート３０は、平面視矩形状をなし、透光性及び導電性を有している。表面シート３０の前面（入力部の表面）３０ａは、開閉体３の前面３ｄと隣り合うように配置される。表面シート３０の前面３０ａ（パスワード入力文字２２及びカード読み取りマーク２４の前方の部分以外であることが好ましい）と開閉体３の前面３ｄとは、互いに同色又は近似色である。なお、ここで言う近似色とは、日本工業規格ＪＩＳ  Ｚ  ８７３０：２００９で規定される色差が１０以内の関係にあるものを意味することが好ましく、色差が６以内の関係にあるものを意味することがより好ましい。色差を規定する表示系としては、Ｌ＊ｕ＊ｖ＊表示系を用いることが好ましい。
表面シート３０の前面３０ａと開閉体３の前面３ｄとは、面一である。すなわち、表面シート３０の前面３０ａと開閉体３の前面３ｄとは、略同一面上に配置されている。
【００２８】
ＬＥＤ１３ｂが消灯したときのパスワード入力文字２２と表面シート３０の前面３０ａとは、互いに同色又は近似色であることが好ましい。
【００２９】
表面シート３０の後面には、図２中には図示はしないが、パスワード入力文字２２及びカード読み取りマーク２４が印刷されている。パスワード入力文字２２及びカード読み取りマーク２４は、ＬＥＤが発する光により文字やマーク自体を発光させる形態か、あるいは文字やマークを個々に囲う領域を発光させる形態とされている。
【００３０】
電極シート３１は、表面シート３０と重なる平面視矩形状をなし、透光性及び導電性を有している。電極シート３１は、静電容量方式の検出シートであり、図３に示す複数の電極部３１ａ（図３には電極部３１ａを１つのみ示す）を備えている。各電極部３１ａにより、パスワード入力キー２１が構成されている。
複数の電極部３１ａは、パスワード入力文字２２の個々の位置に対向している。各電極部３１ａは、表面シート３０のパスワード入力文字２２が配置された位置に利用者の指先等が触れると、静電容量を変化させる。この静電容量の変化を検出することで、何れのパスワード入力キー２１に利用者が触れたかを検出可能である。各電極部３１ａは、ＬＥＤ１３ｂの光を透過可能とされている。
【００３１】
なお、複数の電極部３１ａを有して、利用者がパスワード入力キー２１に触れることにより入力を与えるパスワード入力部１１が構成される。パスワード入力部１１の表面は、表面シート３０の前面３０ａに含まれる。利用者は、タッチパネル２０の前面３０ａ側からパスワード入力キー２１に触れる入力を与える。
前述のモード切替えスイッチ２１ｃ１は、パスワード入力部１１に設けられた１つのスイッチである。
【００３２】
図２に示すように、表面シート３０及び電極シート３１は、互いに一体的に重合した状態で、ガイド部材３２の前面に取付けられている。ガイド部材３２は、例えば半透明のアクリル板からなる。ガイド部材３２の後面には、パスワード入力キー２１の個々の位置に対向するように、有底円筒状の凹部３３が複数形成されている。各凹部３３は、例えば座刳り加工により互いに独立して形成されている。各凹部３３は、ガイド部材３２の前面側に円形の薄板部３３ａを形成している。各凹部３３の薄板部３３ａは、各凹部３３内に臨んだＬＥＤ１３ｂの光を拡散させて円形に発光するとともに、隣接する凹部３３への光の漏れを制限している。
【００３３】
また、ガイド部材３２の後面には、カード読み取りマーク２４の位置に対向するように、平面視矩形状の中央凹部３４が形成されている。中央凹部３４は、各凹部３３よりも大形をなし、各凹部３３から独立して、例えば座刳り加工により形成されている。中央凹部３４は、ガイド部材３２の前面側に矩形の薄板部３４ａを形成している。中央凹部３４の薄板部３４ａは、中央凹部３４内に臨んだ例えば複数（４つ）のＬＥＤ１４ｂの光を拡散させて矩形に発光するとともに、周囲の凹部３３への光の漏れを制限している。
【００３４】
ガイド部材３２の後面には、複数のＬＥＤ１３ｂ、１４ｂが実装された基板３６が取付けられている。複数のＬＥＤ１３ｂ、１４ｂは、基板３６の前面に実装され、この基板３６の前面がガイド部材３２の後面に重なる。複数のＬＥＤ１３ｂは、ガイド部材３２の複数の凹部３３にそれぞれ対向する位置に設けられ、複数のＬＥＤ１４ｂは、ガイド部材３２の中央凹部３４に対向する位置に設けられている。
ガイド部材３２の各凹部３３は、表面シート３０の各パスワード入力文字２２、及び電極シート３１の各電極部３１ａに対向して設けられている。中央凹部３４は、表面シート３０のカード読み取りマーク２４に対向して設けられている。カード読み取りマーク２４は、個々のパスワード入力文字２２よりも大形である。
【００３５】
表面シート３０のパスワード入力文字２２に対向するＬＥＤ１３ｂ及びカード読み取りマーク２４に対向するＬＥＤ１４ｂが発光すると、ガイド部材３２の各凹部３３、３４の薄板部３３ａ、３４ａがそれぞれ発光する。すると、表面シート３０のパスワード入力文字２２及びカード読み取りマーク２４が適宜発光し、パスワード入力文字２２及びカード読み取りマーク２４が外部から視認可能となる。
パスワード入力文字２２及びカード読み取りマーク２４に対向するＬＥＤ１３ｂ、１４ｂの発光が無くなると、表面シート３０のパスワード入力文字２２及びカード読み取りマーク２４の発光が消えて、パスワード入力文字２２及びカード読み取りマーク２４を外部から視認不能となる。
【００３６】
基板３６の後面側には、認証カードとして非接触のＩＣカードの情報を読み取るアンテナ３７が配置されるとともに、制御ユニット１５が配置されている。なお、アンテナ３７を有して、利用者が認証装置１０に認証カードをかざすことにより入力を与えるカード入力部１２が構成される。カード入力部１２の表面は、表面シート３０の前面３０ａに含まれる。利用者は、タッチパネル２０の前面３０ａ側から認証カードをかざす入力を与える。
認証装置１０における開閉体３の後側には、制御ユニット１５等を覆うカバー３８が取付けられている。
【００３７】
図３に示すように、制御ユニット１５は、モード設定部４１と、パスワード出力部（出力部）４２と、カード出力部（出力部）４３と、主制御部４４と、を有している。
モード設定部４１、出力部４２、４３、及び主制御部４４は、演算回路及びメモリ等で構成されている。各メモリには、演算回路の制御プログラム等が記憶されている。
【００３８】
パスワード出力部４２のメモリには、利用者が入力したパスワードを認証するための参照情報が記憶されている。パスワード出力部４２は、複数の電極部３１ａに接続されていて、利用者がパスワード入力キー２１に触れることにより与えた入力を検出する。パスワード出力部４２は、検出した入力に基づいて認証を行う。
カード出力部４３のメモリには、利用者がかざした認証カードにより入力される情報を認証するための参照情報が記憶されている。カード出力部４３は、アンテナ３７に接続されていて、利用者が認証装置１０に認証カードをかざすことにより与えた入力を検出する。カード出力部４３は、検出した入力に基づいて認証を行う。
【００３９】
モード設定部４１は、ＬＥＤ１３ｂ、１４ｂの点灯及び消灯を制御する。モード設定部４１は、パスワード入力文字２２又はカード読み取りマーク２４を表示する表示モードと、パスワード入力文字２２及びカード読み取りマーク２４を表示しない非表示モードと、に制御モードを切替え可能である。さらに、表示モードは、第１表示モードと第２表示モードと、を有している。
制御モードが第１表示モードのときには、モード設定部４１はパスワード入力文字２２を表示し、カード読み取りマーク２４を表示しない。パスワード出力部４２は入力の認証を行い、カード出力部４３は入力の認証を行わない。
制御モードが第２表示モードのときには、モード設定部４１はカード読み取りマーク２４を表示し、パスワード入力文字２２を表示しない。カード出力部４３は入力の認証を行い、パスワード出力部４２は入力の認証を行わない。
制御モードが非表示モードのときには、モード設定部４１はパスワード入力文字２２及びカード読み取りマーク２４を表示しない。パスワード出力部４２及びカード出力部４３は、入力の認証を行わない。
主制御部４４は、バッテリ７の電池容量の監視等を行う。
【００４０】
次に、以上のように構成された鍵付き什器１０１が認証を行って解錠する動作について説明する。図８は、鍵付き什器１０１の動作を示すフローチャートである。
予め、モード設定部４１の制御モードは非表示モードになっていて、図６に示すように、認証装置１０にはマーク２５が示され、パスワード入力文字２２及びカード読み取りマーク２４が表示されない。モード設定部４１は、制御モードが表示モードになったときに、制御モードを第１表示モードにしてパスワード出力部４２による認証を行わせた後で、制御モードを第２表示モードにしてカード出力部４３による認証を行わせるとする。
パスワード出力部４２及びカード出力部４３は入力の認証を行わない。什器１の各開閉体３は、電気式施解錠装置５により施錠されている。
この状態では、表面シート３０の前面３０ａと開閉体３の前面３ｄとが互いに同色又は近似色であるため、鍵付き什器１０１の外観がすっきりしていて、鍵付き什器１０１の意匠性が高い。
【００４１】
利用者は、図７に示すように、解錠したい開閉体３に取付けられた認証装置１０において、マーク２５を目印にして、指Ｑ１でモード切替えスイッチ２１ｃ１に触れる。
モード切替えスイッチ２１ｃ１からモード設定部４１に信号が送られる。モード設定部４１は、制御モードを、表示モードのうちの第１表示モードに設定する（図８に示すステップＳ１）。パスワード出力部４２は、入力の認証を開始する（ステップＳ２）。モード設定部４１は、ＬＥＤ１３ｂを点灯させることで、図４に示すようにパスワード入力文字２２を表示する（ステップＳ３）。この状態では、認証装置１０にパスワード入力文字２２が表示されるため、利用者はパスワードを入力する位置が分かりやすい。
【００４２】
利用者は、認証装置１０にパスワード入力文字２２が表示されたことで、パスワードによる認証が開始されたと判断する。指Ｑ１でパスワード入力キー２１に適切な順番に触れることで、パスワード入力部１１にパスワードである第１認証入力情報を入力する。
パスワード出力部４２は、入力された第１認証入力情報を取得する（ステップＳ４）。
【００４３】
その後、ステップＳ５において、パスワード出力部４２は、パスワード入力部１１に与えられた第１認証入力情報が正しいか否かを判断する。すなわち、第１認証入力情報の認証を行い、パスワード認証が取れるか否かを判断する。
ステップＳ５でＹＥＳ（第１認証入力情報が正）の場合、ステップＳ１１に移行する。
ステップＳ１１では、モード設定部４１は、制御モードを、表示モードのうちの第２表示モードに設定する。
一方で、ステップＳ５でＮＯ（第１認証入力情報が不正）の場合、ステップＳ６で認証エラーの告知をした後、ステップＳ４に移行する。認証エラーの告知は、例えばエラーマークの表示、パスワード入力文字２２の点滅表示、及び告知音の発生等でなされる。
【００４４】
ステップＳ１１を終えると、パスワード出力部４２は入力の認証を終了し、カード出力部４３は入力の認証を開始する（ステップＳ１２）。
モード設定部４１は、ＬＥＤ１３ｂを消灯させることで、図５に示すようにパスワード入力文字２２の表示を終了するとともに、ＬＥＤ１４ｂを点灯させることでカード読み取りマーク２４を表示する（ステップＳ１３）。
利用者は、認証装置１０にカード読み取りマーク２４が表示されたことで、認証カードによる認証が開始されたと判断する。認証カードを認証装置１０にかざすことで、認証カードからカード入力部１２に第２認証入力情報を入力する。
カード出力部４３は、入力された第２認証入力情報を取得する（ステップＳ１４）。
【００４５】
その後、ステップＳ１５において、カード出力部４３は、カード入力部１２に与えられた第２認証入力情報が正しいか否かを判断する（ステップＳ１５）。すなわち、第２認証入力情報の認証を行い、カード認証が取れるか否かを判断する。
ステップＳ１５でＹＥＳ（第２認証入力情報が正）の場合、ステップＳ２１に移行する。ステップＳ２１では、２つの出力部４２、４３による認証が取れたと判断し、電気式施解錠装置５に解錠することを表す認証結果の指令を出力する（ステップＳ２２）。認証結果の指令を受けた電気式施解錠装置５が解錠することで、認証装置１０が取付けられている開閉体３を開けることができるようになる。
一方で、ステップＳ１５でＮＯ（第２認証入力情報が不正）の場合、ステップＳ１６で認証エラーの告知をした後、ステップＳ１４に移行する。
以上で、鍵付き什器１０１が認証を行って解錠する動作が終了する。
【００４６】
利用者が什器１を利用し終えた後で開閉体３を閉めると、その開閉体３に取付けられた電気式施解錠装置５が自動的に施錠する。利用者がモード切替えスイッチ２１ｃ１に再び触れると、制御モードが非表示モードになり、パスワード入力文字２２及びカード読み取りマーク２４が表示されなくなるようにしてもよい。
なお、上記の動作では、鍵付き什器１０１はパスワード出力部４２によるパスワードの認証を行ってからカード出力部４３による認証カードの認証を行った。しかし、鍵付き什器１０１が認証を行う順番はこの限りではなく、認証カードの認証を行ってからパスワードの認証を行ってもよいし、パスワードの認証と認証カードの認証とを同時に行ってもよい。パスワードの認証及び認証カードの認証の一方のみを行ってもよい。
【００４７】
以上説明したように、本実施形態の鍵付き什器１０１によれば、制御モードが非表示モードであると、モード設定部４１は入力部１１、１２の前面３０ａにパスワード入力文字２２及びカード読み取りマーク２４を表示しないため、入力部１１、１２の前面３０ａと開閉体３の前面３ｄとが互いに同色又は近似色であることで、認証機能付き什器１０１の意匠性を高めることができる。一方で、制御モードが表示モードであると入力部１１、１２の前面３０ａにパスワード入力文字２２又はカード読み取りマーク２４を表示するため、利用者はこのパスワード入力文字２２又はカード読み取りマーク２４の位置を目印にして、入力部１１、１２に入力を容易に与えることができる。
【００４８】
入力部１１、１２の前面３０ａと開閉体３の前面３ｄとが互いに同色又は近似色であることで、認証装置１０を備えない通常の什器に近い意匠性を、認証機能付き什器１０１が得ることができる。さらに、制御モードが非表示モードであると入力部１１、１２の前面３０ａにパスワード入力文字２２及びカード読み取りマーク２４を表示しないため、通常の什器にさらに近い意匠性を得ることができる。
制御モードが非表示モードであると、認証装置１０が目立たないため、利用者が意図することなくパスワード入力キー２１に触れたり、認証カードをかざしたりする恐れがある。このような場合でも、出力部４２、４３が入力の認証を行わない状態であるため、利用者が意図に反して入力を与えることを減らすことができる。したがって、認証機能付き什器１０１によるセキュリティ監視の有効性が高くなる。
利用者が意図に反した、認証機能付き什器１０１による無駄な動作を無くすことで、バッテリ７の蓄電残量が減るのを抑えることができる。
【００４９】
カード読み取りマーク２４に視覚記号が用いられているため、カード読み取りマーク２４と入力部１１、１２の前面３０ａとの色のコントラストを強く等しなくても、カード読み取りマーク２４が表す概念や利用者が次に行うべき事項等を利用者が容易に認識することできる。また、色のコントラストを強くしなくてよいため、制御モードが非表示モードであるときに、カード読み取りマーク２４を確実に表示しないように容易にすることができる。カード読み取りマーク２４が視覚記号であるため、カード読み取りマーク２４が表示されたときに、認証機能付き什器１０１全体として見て調和のとれたものとすることができる。
【００５０】
パスワード入力文字２２を表示する第１位置Ｐ１と、カード読み取りマーク２４を表示する第２位置Ｐ２と、は異なる。このため、利用者はパスワード入力文字２２又はカード読み取りマーク２４の表示位置を確認するだけで、入力部１１、１２のうちどちらから入力を与えればよいかを容易に判断することができる。
パスワード出力部４２は、制御モードが第１表示モードのときには入力の認証を行い、制御モードが非表示モードのときには入力の認証を行わない。これにより、利用者はパスワード入力文字２２が表示されているか否かで、現在の制御モードが第１表示モードか非表示モードかを容易に判断することができる。
【００５１】
入力部１１、１２の前面３０ａと開閉体３の前面３ｄとが面一であることで、認証機能付き什器１０１の意匠性をさらに高めることができる。
認証機能付き什器１０１がモード切替えスイッチ２１ｃ１を備えることで、利用者がモード切替えスイッチ２１ｃ１に触れて、制御モードを表示モードと非表示モードとに容易に切替えることができる。
【００５２】
モード切替えスイッチ２１ｃ１が１つのスイッチであることで、認証機能付き什器１０１は入力の有無を監視するのにモード切替えスイッチ２１ｃ１だけを監視すればよい。したがって、制御モードが非表示モードのときに認証機能付き什器１０１が消費するエネルギーを少なくすることができる。
モード切替えスイッチ２１ｃ１の位置を表すマーク２５が表示されていることで、利用者は容易にモード切替えスイッチ２１ｃ１に入力を与えることができる。
【００５３】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、マーク２５は、常時表示されたもの、すなわちモード設定部４１の制御モードによらず視認可能であるものとした。しかし、ＬＥＤが点灯したときだけ外部からマークを視認可能にすること等により、制御モードが非表示モードのときだけこのマークが表示されるように構成してもよい。
【００５４】
また、カード読み取りマーク２４が表示される第２位置Ｐ２は、パスワード入力文字２２に囲まれた位置に限定されない。例えば図９に示す鍵付き什器１０１Ａのように、各パスワード入力文字２２が表示される第１位置Ｐ３の間の位置に、カード読み取りマーク２４が表示される第２位置Ｐ４があってもよい。
この変形例では、パスワード入力キー２１は、平面視格子状に配置されている。パスワード入力キー２１の例えば一角部（図では左下の角部）には、エンターキー２１ｃが配置されている。
制御モードが非表示モードのときには、図１０に示すように、認証装置１０にマーク２５が示され、パスワード入力文字２２及びカード読み取りマーク２４が表示されない。制御モードが第１表示モードのときには、図１１に示すように、認証装置１０にパスワード入力文字２２が表示され、カード読み取りマーク２４が表示されない。制御モードが第２表示モードのときには、図１２に示すように、認証装置１０にカード読み取りマーク２４が表示され、パスワード入力文字２２が表示されない。
【００５５】
鍵付き什器１０１は、入力部としてパスワード入力部１１及びカード入力部１２の２つの入力部を備えた。しかし、鍵付き什器１０１が備える入力部の数は特に限定されず、１つでもよいし、３つ以上でもよい。例えば、鍵付き什器１０１が１つの入力部を備える場合には、表示モードは１種類だけになる。
また、鍵付き什器１０１は、出力部としてパスワード出力部４２及びカード出力部４３の２つの出力部を備えた。しかし、しかし、鍵付き什器１０１が備える出力部の数は特に限定されず、１つでもよいし、３つ以上でもよい。
モード切替え部は、利用者が触れることで動作するモード切替えスイッチ２１ｃ１であるとした。しかし、モード切替え部はこの限りではなく、近接センサ等の利用者が近づくだけで動作するものであってもよいし、タイマ等の利用者の動作とは関係無く動作するものであってもよい。
【００５６】
表面シート３０の前面３０ａと開閉体３の前面３ｄとが互いに同色又は近似色であれば、これらの前面３０ａ、３ｄに木目等の模様があってもよい。
認証案内表示に視覚記号が用いられなくてもよい。表面シート３０の前面３０ａと開閉体３の前面３ｄとは、面一でなくてもよい。
認証機能付き什器が鍵付き什器であるとした。しかし、認証機能付き什器はこれに限定されず、例えば認証機能付きデスク装置等でもよい。認証機能付きデスク装置は、利用者が正しい入力を与えると、照明等の機能が使用可能となる。
【符号の説明】
【００５７】
３  開閉体（本体）
３ｄ  前面（表面）
１１  パスワード入力部（第１入力部、入力部）
１２  カード入力部（第２入力部、入力部）
２１ｃ１  モード切替えスイッチ（モード切替え部）
２２  パスワード入力文字（認証案内表示）
２４  カード読み取りマーク（認証案内表示）
３０ａ  前面（入力部の表面）
４１  モード設定部
４２  パスワード出力部（出力部）
４３  カード出力部（出力部）
１０１、１０１Ａ  鍵付き什器（認証機能付き什器）
Ｐ１、Ｐ３  第１位置
Ｐ２、Ｐ４  第２位置
【図１】
2018097202.tif 000003
【図２】
2018097202.tif 000004
【図３】
2018097202.tif 000005
【図４】
2018097202.tif 000006
【図５】
2018097202.tif 000007
【図６】
2018097202.tif 000008
【図７】
2018097202.tif 000009
【図８】
2018097202.tif 000010
【図９】
2018097202.tif 000011
【図１０】
2018097202.tif 000012
【図１１】
2018097202.tif 000013
【図１２】
2018097202.tif 000014